(57)【要約】【課題】容易に装着できるうえに安定性に優れた横材取付用金具を提供する。【解決手段】複数段の階層が形成される直方体状の足場１の各段が、間隔を置いて並行に立設される脚柱１１，１１とその上部間を連結する横架材１２とを有する建枠１０と、横架材間に架け渡される足場板１８と、長辺方向の脚柱間に架け渡される筋交い１３とを備えており、その足場の脚柱から突出されるロックピン１４に装着する手摺巾木兼用金具４である。  そして、脚柱に沿って延設される長尺状の本体部４１と、ロックピンを挿通させるために本体部に穿孔される支持穴４３と、本体部の下端に設けられて支持穴の貫通方向に平行する下段側の横架材１２に被せられる係合部４２と、本体部から突出されて手摺２Ａ，２Ｂと巾木３Ａ，３Ｂを取り付けるための手摺取付ピン４４Ａ，４４Ｂと巾木取付ピン４５Ａ，４６Ａ，４５Ｂ，４６Ｂとを備えている。【選択図】図１
2011017197.tif 000002
【特許請求の範囲】
【請求項１】
上下方向に複数段の階層が形成される直方体状の足場の各段が、前記直方体の短辺方向に間隔を置いて並行に立設される脚柱とその脚柱の上部間を連結する横架材とを有する建枠と、前記直方体の長辺方向に間隔を置いて配置される複数の前記建枠の前記横架材間に架け渡される足場板と、前記長辺方向の前記脚柱間に架け渡される筋交いとを備えており、その足場の前記脚柱から前記短辺方向に突出されるロックピンに装着する横材取付用金具であって、
前記脚柱に沿って延設される長尺状の本体部と、
前記ロックピンを挿通させるために前記本体部に穿孔される支持穴と、
前記本体部の下端に設けられて前記支持穴の貫通方向に平行する下段側の前記横架材に被せられる係合部と、
前記本体部から突出されて横材を取り付けるための横材取付ピンとを備えたことを特徴とする横材取付用金具。
【請求項２】
前記横材取付ピンは、前記支持穴の貫通方向及びそれに直交する方向の二方向に突出されていることを特徴とする請求項１に記載の横材取付用金具。
【請求項３】
前記横材取付ピンは、前記本体部の長手方向に間隔を置いて複数設けられることを特徴とする請求項１又は２に記載の横材取付用金具。
【請求項４】
前記係合部は、門形に形成されたカバー部と、そのカバー部と前記横架材との相対変位の発生を抑える固定手段とを備えたことを特徴とする請求項１乃至３のいずれか一項に記載の横材取付用金具。
【請求項５】
前記支持穴は、前記本体部の長手方向に間隔を置いて複数設けられることを特徴とする請求項１乃至４のいずれか一項に記載の横材取付用金具。
【請求項６】
上下方向に複数段の階層が形成される直方体状の足場の各段が、前記直方体の短辺方向に間隔を置いて並行に立設される脚柱とその脚柱の上部間を連結する横架材とを有する建枠と、前記直方体の長辺方向に間隔を置いて配置される複数の前記建枠の前記横架材間に架け渡される足場板と、前記長辺方向の前記脚柱間に架け渡される筋交いとを備えており、その足場の前記脚柱から前記短辺方向に突出されるロックピンに装着する横材取付用金具であって、
前記脚柱に沿って延設される板状の本体部と、
前記ロックピンを挿通させるために前記本体部に穿孔される支持穴と、
前記本体部の上下方向の一方の端部に設けられて前記本体部とともに前記脚柱を囲み、前記本体部と対向する部分が開閉自在の係合バーによって形成される係合部と、
前記本体部の上下方向の他方の端部に設けられて前記本体部から前記脚柱を挟むように延出される一対の側面板を有する補助係合部と、
前記本体部から突出されて横材を取り付けるための横材取付ピンとを備えたことを特徴とする横材取付用金具。
【請求項７】
請求項１乃至６のいずれか一項に記載の横材取付用金具が装着された足場であって、
前記ロックピンには、前記支持穴を介して取り付けられる前記横材取付用金具と筋交いとが装着され、前記横材取付ピンを介して前記横材が取り付けられることを特徴とする足場。
【発明の詳細な説明】
【技術分野】
【０００１】
本発明は、足場の安全設備である手摺、桟又は巾木などの横材を取り付けるために足場に装着される横材取付用金具、及びその横材取付用金具を使って横材が取り付けられた足場に関するものである。
【背景技術】
【０００２】
従来、門形の建枠と鋼製足場板と筋交いとによって直方体状の枠組が形成される足場に手摺を追加する際に、建枠の脚柱（建地）に装着される金具が知られている（特許文献１，２参照）。
【０００３】
また、特許文献３，４に開示されているように、足場板の側縁に巾木を取り付けるために装着される金具も知られている。
【０００４】
さらに、特許文献５には、既存の筋交いを利用して新たに桟を取り付けるための金具が開示されている。
【０００５】
すなわち、既存の建枠には筋交いを取り付けるためのロックピンなどの突起物が設けられているが、筋交い取り付け以外に余分に設けられていないため、手摺や巾木などの横材を追加しようとすれば、横材取付用の金具を新たに装着する必要がある。
【０００６】
一方、足場の安全性を向上させるために、従来から取り付けられていた筋交いや手摺に加えて、手摺、巾木、桟などを追加するように規制する動きがある。
【先行技術文献】
【特許文献】
【０００７】
【特許文献１】実開昭６３−８６２４９号公報
【特許文献２】特開２００４−３１６１５７号公報
【特許文献３】特開２００３−３５０３４号公報
【特許文献４】特開２００５−２０７０６１号公報
【特許文献５】特開２００８−１４０９７号公報
【発明の概要】
【発明が解決しようとする課題】
【０００８】
しかしながら特許文献１に開示された金具は、筋交い用のロックピンを利用して金具を装着する構成になっているが、長尺状の金具の下端は固着ネジの締結力で脚柱に固定する構成になっているため、固着ネジを強く締め付ける必要があり、脚柱を傷つけるおそれがある。また、固着ネジが緩むと、金具の下端が脚柱の周りを回動してがたつくおそれがある。
【０００９】
また、特許文献２，３，４に開示された金具は、金具の回動を抑制する構造とはなっておらず、ロックピンを挿通させる穴の遊びが大きかったり、Ｕ字状挟持手段が緩かったりするとがたつくおそれがある。
【００１０】
さらに、特許文献５に開示された金具は、筋交いの途中に取り付けるものであるため、筋交いより低い位置に手摺や巾木を取り付けることができない。
【００１１】
そこで、本発明は、容易に装着できるうえに安定性に優れた横材取付用金具、及びその横材取付用金具を使って横材が取り付けられた足場を提供することを目的としている。
【課題を解決するための手段】
【００１２】
前記目的を達成するために、本発明の横材取付用金具は、上下方向に複数段の階層が形成される直方体状の足場の各段が、前記直方体の短辺方向に間隔を置いて並行に立設される脚柱とその脚柱の上部間を連結する横架材とを有する建枠と、前記直方体の長辺方向に間隔を置いて配置される複数の前記建枠の前記横架材間に架け渡される足場板と、前記長辺方向の前記脚柱間に架け渡される筋交いとを備えており、その足場の前記脚柱から前記短辺方向に突出されるロックピンに装着する横材取付用金具であって、前記脚柱に沿って延設される長尺状の本体部と、前記ロックピンを挿通させるために前記本体部に穿孔される支持穴と、前記本体部の下端に設けられて前記支持穴の貫通方向に平行する下段側の前記横架材に被せられる係合部と、前記本体部から突出されて横材を取り付けるための横材取付ピンとを備えたことを特徴とする。
【００１３】
ここで、前記横材取付ピンは、前記支持穴の貫通方向及びそれに直交する方向の二方向に突出させることができる。また、前記横材取付ピンは、前記本体部の長手方向に間隔を置いて複数設けることもできる。
【００１４】
さらに、前記係合部は、門形に形成されたカバー部と、そのカバー部と前記横架材との相対変位の発生を抑える固定手段とを備えた構成であってもよい。また、前記支持穴は、前記本体部の長手方向に間隔を置いて複数設けることができる。
【００１５】
さらに、本発明の別の横材取付用金具は、上下方向に複数段の階層が形成される直方体状の足場の各段が、前記直方体の短辺方向に間隔を置いて並行に立設される脚柱とその脚柱の上部間を連結する横架材とを有する建枠と、前記直方体の長辺方向に間隔を置いて配置される複数の前記建枠の前記横架材間に架け渡される足場板と、前記長辺方向の前記脚柱間に架け渡される筋交いとを備えており、その足場の前記脚柱から前記短辺方向に突出されるロックピンに装着する横材取付用金具であって、前記脚柱に沿って延設される板状の本体部と、前記ロックピンを挿通させるために前記本体部に穿孔される支持穴と、前記本体部の上下方向の一方の端部に設けられて前記本体部とともに前記脚柱を囲み、前記本体部と対向する部分が開閉自在の係合バーによって形成される係合部と、前記本体部の上下方向の他方の端部に設けられて前記本体部から前記脚柱を挟むように延出される一対の側面板を有する補助係合部と、前記本体部から突出されて横材を取り付けるための横材取付ピンとを備えたことを特徴とする。
【００１６】
また、本発明の足場は、上記いずれかの横材取付用金具が装着された足場であって、前記ロックピンには、前記支持穴を介して取り付けられる前記横材取付用金具と筋交いとが装着され、前記横材取付ピンを介して前記横材が取り付けられることを特徴とする。
【発明の効果】
【００１７】
このように構成された本発明の横材取付用金具は、ロックピンに挿通させる支持穴を備えるとともに、本体部の下端に横架材に被せる係合部を備えている。
【００１８】
このため、ロックピンを介して容易に装着できる。また、係合部は、横架材に被せる構成となっているため、安定性に優れている。
【００１９】
また、横材取付ピンが二方向に突出されていれば、足場の二方向の辺に手摺や巾木などの横材を追加することができる。さらに、横材取付ピンを本体部の長手方向に間隔を置いて複数設けることで、異なる高さに横材を取り付けることができる。
【００２０】
また、門形のカバー部と、横架材との固定手段とによって係合部を構成すれば、門形のカバー部を横架材に跨るように載置させることができるため、固定手段による拘束力が小さくても安定させることが可能である。
【００２１】
また、支持穴が本体部の長手方向に間隔を置いて複数設けられていれば、ロックピンが突出されている高さが異なる様々な種類の建枠にも装着することが可能になる。
【００２２】
さらに、本発明の別の横材取付用金具は、本体部の上下方向の端部に係合部と補助係合部とを備えている。
【００２３】
このようにロックピンを挿通させる支持穴に加えて２箇所で脚柱に係合させるため、装着後の安定性に優れ、がたつきの発生を抑えることができる。また、係合部が開閉自在の係合バーによって形成されていれば、ボルトのように緩みが発生するおそれがない。
【００２４】
さらに、ロックピンに取り付けられる筋交いと一緒に横材取付用金具を装着する構成であれば、既設の筋交いの数や位置を変更する必要がなく、足場の剛性を低下させるおそれがない。
【図面の簡単な説明】
【００２５】
【図１】本発明の実施の形態の横材取付用金具の構成を説明する斜視図である。
【図２】直方体状の足場の長辺側を内側から見た正面図である。
【図３】図２のＡ−Ａ方向で直方体状の足場の短辺側を見た側面図である。
【図４】横材取付用金具が装着された箇所を拡大して説明する側面図である。
【図５】図４のＢ−Ｂ方向で横材取付用金具が装着された箇所を見た正面図である。
【図６】実施例の横材取付用金具の構成を説明する斜視図である。
【図７】実施例の横材取付用金具が装着された箇所を拡大して説明する正面図である。
【図８】図７のＣ−Ｃ方向で横材取付用金具を見た側面図である。
【発明を実施するための形態】
【００２６】
以下、本発明の実施の形態について図面を参照して説明する。
【００２７】
図１は、本実施の形態の横材取付用金具としての手摺巾木兼用金具４の構成を説明する斜視図である。
【００２８】
この手摺巾木兼用金具４は、図２，３に示すような、上下方向に複数段の階層が形成される直方体状の足場１に装着される。すなわち、この足場１は、複数の建枠１０，・・・と、足場１の長辺方向に向けて建枠１０，１０の上部間に架け渡される鋼製の足場板１８と、足場１の長辺側となる建枠１０，１０の側面間に架け渡されるＸ字状の筋交い１３とによって直方体状に組み立てられる仮設足場である。
【００２９】
そして、図２は足場１の長辺側を内側から見た正面図、図３は図２のＡ−Ａ方向で見た足場１の短辺側を示した側面図である。この図２，３には、足場１の３段分の階層が図示されており、建枠１０，・・・は、上下方向の３段に積み上げられるとともに、各段においては足場１の長辺方向に間隔を置いて複数の建枠１０，・・・が配置されている。
【００３０】
この建枠１０は、図３に示すように、間隔を置いて並行に立設される脚柱１１，１１と、その脚柱１１，１１の上部間を連結する横架材１２とによって略門形に形成される。
【００３１】
また、脚柱１１，１１間には、図３に示すように妻手摺１５が水平に架け渡されるとともに、脚柱１１と横架材１２との間が略Ｊ字状の補剛材１６によって連結される。
【００３２】
さらに、脚柱１１の上端からは連結ピン１１ａが上方に向けて突出されている。この連結ピン１１ａには、図４に示すように、その上段に配置される建枠１０の脚柱１１の下端が挿入されて、上下の建枠１０，１０間が連結される。
【００３３】
また、長辺方向に間隔を置いて配置された建枠１０，１０間には、足場板１８が架け渡される。この足場板１８は、図４，５に二点鎖線で示すように、端部にフック状の掴み金具１８１が設けられた床板である。この掴み金具１８１は、図３，５に示すように下段側の建枠１０の横架材１２に引っ掛けられ、上段側の床面を形成する。なお、図３及び図２に示すように、幅の異なる２枚の足場板１８，１８が並行に建枠１０，１０間に架け渡される。
【００３４】
また、長辺側に間隔を置いて配置された建枠１０，１０間には、図２に示すようにＸ字状に筋交い１３，１３が架け渡される。さらに、筋交い１３，１３の下方においては、手摺巾木兼用金具４，４Ａを使って横材としての手摺２Ａと巾木３Ａとが足場板１８に平行に建枠１０，１０間に架け渡される。
【００３５】
さらに、図３に示すように、足場１の長辺方向の端部に配置される建枠１０の補剛材１６，１６の下方においては、手摺巾木兼用金具４，４を使って横材としての手摺２Ｂと巾木３Ｂとが横架材１２に平行に脚柱１１，１１間に架け渡される。
【００３６】
なお、ここでは手摺２Ａ，２Ｂという名称にしたが、この手摺２Ａ，２Ｂには下桟など桟と呼ばれるものも含まれる。
【００３７】
また、この脚柱１１には、図４に示すように筋交い１３，１３の下端部を取り付けるためのロックピン１４が、短辺方向に向けて水平に突出されている。すなわち、図３に示すように、並行して立設される脚柱１１，１１のそれぞれに設けられるロックピン１４，１４は、建枠１０の内側に向けてそれぞれ延出される。また、筋交い１３，１３の上端部は、図３に示すように、脚柱１１の上部に突出されたロックピン１４Ａに取り付けられる。
【００３８】
このロックピン１４（１４Ａ）の先端には、バネの付勢力によって可動して出入りする三角形状のロック爪１４１がロック機構として設けられており、筋交い１３の端部の穴をロックピン１４に差し込むだけで装着後の脱落を防止することができる。
【００３９】
そして、本実施の形態の手摺巾木兼用金具４は、このロックピン１４に装着される。この手摺巾木兼用金具４は、図１に示すように、長尺板状の本体部４１と、ロックピン１４を挿通させるために本体部４１に穿孔される支持穴４３，４３Ａと、本体部４１の下端に設けられる係合部４２と、本体部４１から突出されて手摺２Ａ，２Ｂを取り付けるための横材取付ピンとしての手摺取付ピン４４Ａ，４４Ｂと、本体部４１から突出されて巾木３Ａ，３Ｂを取り付けるための横材取付ピンとしての巾木取付ピン４５Ａ，４５Ｂ，４６Ａ，４６Ｂとを備えている。
【００４０】
なお、この図１に示した手摺巾木兼用金具４は、図３の右側の脚柱１１に装着される形態であり、図３の左側の脚柱１１に装着される手摺巾木兼用金具４は、手摺取付ピン４４Ｂ及び巾木取付ピン４５Ｂ，４６Ｂが、本体部４１の反対側の側面から突出することになる。また、図２に示すように、足場１の中間部に配置される建枠１０に装着される手摺巾木兼用金具４Ａは、手摺取付ピン４４Ａ及び巾木取付ピン４５Ａ，４６Ａのみが本体部４１から突出されており、手摺取付ピン４４Ｂ及び巾木取付ピン４５Ｂ，４６Ｂは省略される。
【００４１】
この本体部４１は、図４に示すように脚柱１１に沿って延設される部材で、２本の筋交い１３，１３の端部が取り付けられたロックピン１４のロック爪１４１と筋交い１３との間に介在可能な厚さに形成される。
【００４２】
また、ここでは支持穴４３，４３Ａを二つ設けているが、これは、建枠１０の種類によってロックピン１４の位置が異なるためで、この手摺巾木兼用金具４（４Ａ）は、二種類のロックピン１４の高さに対応させることができる。ここでは、支持穴４３は、横架材１２の上面から330ｍｍ程度の高さに設けられるロックピン用であり、支持穴４３Ａは、横架材１２の上面から240ｍｍ程度の高さに設けられるロックピン用である。
【００４３】
また、脚柱１１にキーロック１７などの突起物が設けられた種類の建枠１０に対応できるように、本体部４１のキーロック１７に対向する位置には、挿入口４７を貫通させておく。
【００４４】
さらに、係合部４２は、図１に示すように、門形に形成されたカバー部４２１と、カバー部４２１とそれを被せる横架材１２との相対変位の発生を抑える固定手段としての滑止めボルト４２２とを有している。
【００４５】
このカバー部４２１には、円筒状の横架材１２の上面と両側面とを門形に囲む３面が形成されており、このカバー部４２１の貫通方向は、支持穴４３，４３Ａの貫通方向と平行になる。
【００４６】
また、図５に示すように、手摺巾木兼用金具４を脚柱１１のロックピン１４に装着すると、カバー部４２１の直交する３つの内面が横架材１２に３箇所で当接することになる。
【００４７】
さらに、滑止めボルト４２２は、カバー部４２１の内面側への突出量を回転によって調整し、先端を横架材１２の側面に押し付けることによって相対変位の発生を抑える手段である。ここで、カバー部４２１は、横架材１２に対して３箇所で当接する安定した装着性能を備えているため、滑止めボルト４２２による押し付ける力はそれ程大きなものとしなくてもよい。
【００４８】
また、本体部４１の支持穴４３の上方から突出される手摺取付ピン４４Ａ，４４Ｂは、支持穴４３の貫通方向とそれに直交する方向との二方向に向けて突出されている。
【００４９】
この支持穴４３に挿通させるロックピン１４は、元々、長辺側の筋交い１３，１３を装着するために設けられたものであり、そのロックピン１４と平行になるように突出される手摺取付ピン４４Ａも、長辺側の手摺２Ａの取り付けに使用される。
【００５０】
また、この手摺取付ピン４４Ａに水平面内で直交する方向に突出される手摺取付ピン４４Ｂは、短辺側の手摺２Ｂの取り付けに使用される。さらに、これらの手摺取付ピン４４Ａ，４４Ｂの先端には、ロックピン１４と同様のロック爪１４１がロック機構として設けられている。
【００５１】
そして、これらの手摺２Ａ，２Ｂは、筋交い１３，１３の交差部又は妻手摺１５よりも低い位置に架け渡されるので、筋交い１３，１３又は妻手摺１５と足場板１８との隙間を遮ることができ、その間からの作業員の落下を防ぐことができる。例えば、手摺取付ピン４４Ａ，４４Ｂは、横架材１２の上面から390ｍｍ程度の高さに設けられる。
【００５２】
また、本体部４１の長手方向（上下方向）に間隔を置いて設けられる一対の巾木取付ピン４５Ａ，４６Ａは、図５に示すように、長辺側の巾木３Ａの取り付けに使用される。
【００５３】
さらに、この巾木取付ピン４５Ａ，４６Ａに水平面内で直交する方向に突出される巾木取付ピン４５Ｂ，４６Ｂは、短辺側の巾木３Ｂの取り付けに使用される。また、これらの巾木取付ピン４５Ａ，４５Ｂ，４６Ａ，４６Ｂの先端には、ロックピン１４と同様のロック爪１４１がロック機構として設けられている。
【００５４】
これらの巾木３Ａ，３Ｂは、足場板１８の側縁に立設されることになるため、足場板１８上の資材や部品などの物の落下を防ぐことができる。
【００５５】
次に、本実施の形態の手摺巾木兼用金具４の作用について説明する。
【００５６】
このように構成された本実施の形態の手摺巾木兼用金具４（４Ａ）は、ロックピン１４に挿通させる支持穴４３を備えるとともに、本体部４１の下端に横架材１２に被せる門形のカバー部４２１が設けられた係合部４２を備えている。
【００５７】
このため、カバー部４２１を横架材１２に被せて脚柱１１方向に手摺巾木兼用金具４をスライドさせれば、脚柱１１から突出されたロックピン１４が支持穴４３に挿入されて容易に装着することができる。
【００５８】
すなわち、ロックピン１４には、脚柱１１方向に挿入する際には抵抗とならず、脚柱１１から離隔させる方向への移動に対してはストッパとなるロック爪１４１が設けられているので、本体部４１の支持穴４３をロックピン１４に挿通させるだけで、手摺巾木兼用金具４を足場１に装着することができる。
【００５９】
また、図５に示すように、横架材１２の上に門形のカバー部４２１が跨るように載置されるため、本体部４１の長手方向と横架材１２の軸方向の双方に直交する方向（横架材１２の水平面内の軸直交方向）への移動が、カバー部４２１を横架材１２に被せただけで制限される。
【００６０】
さらに、係合部４２の横架材１２の軸方向への移動も、滑止めボルト４２２を回して締め付けることで制限することができる。この方向の移動に対しては、横架材１２とカバー部４２１の内面との３箇所の当接箇所も抵抗となるため、滑止めボルト４２２の先端を横架材１２に押し当てる力の大きさは、それ程、大きくする必要がなく、その力によって横架材１２を損傷させるおそれがほとんどない。なお、足場板１０の掴み金具１８１によっても、係合部４２の横架材１２の軸方向への移動は制限される。
【００６１】
また、本体部４１の上部は支持穴４３を介してロックピン１４に支持され、本体部４１の下端は横架材１２に載置させる安定性に優れた係合部４２によって支持されるので、手摺巾木兼用金具４が装着後にがたつくことはほとんどない。
【００６２】
さらに、手摺取付ピン４４Ａ，４４Ｂ及び巾木取付ピン４５Ａ，４５Ｂ，４６Ａ，４６Ｂが直交する二方向に突出されているので、足場１の長辺側と短辺側の二方向の辺に手摺２Ａ，２Ｂ及び巾木３Ａ，３Ｂを追加することができる。
【００６３】
また、本体部４１の上部に手摺取付ピン４４Ａ，４４Ｂを設け、本体部４１の下端付近に巾木取付ピン４５Ａ，４５Ｂ，４６Ａ，４６Ｂを設けることで、高さの異なる位置に二種類の横材を取り付けることができる。
【００６４】
さらに、支持穴４３，４３Ａが本体部４１の長手方向に間隔を置いて複数設けられていれば、ロックピン１４が突出されている高さが異なる様々な種類の建枠１０にも装着することができ、汎用性を広げることができる。
【００６５】
また、ロックピン１４に取り付けられる筋交い１３，１３と一緒に手摺巾木兼用金具４を装着する構成であれば、既設の筋交い１３，１３の数や位置は変更されずに設計通りの剛性を得ることができるため、手摺や巾木の追加によって足場１の剛性を低下させるおそれがない。
【００６６】
さらに、手摺取付ピン４４Ａ，４４Ｂは、ロックピン１４を挿入する支持穴４３とは異なる位置に設けられているので、筋交い１３の取り付け位置とは異なる任意の高さに手摺２Ａ，２Ｂを新たに追加することができる。
【実施例】
【００６７】
以下、前記した実施の形態とは別の形態の横材取付用金具としての手摺専用金具５について、図６−図８を参照しながら説明する。なお、前記実施の形態で説明した内容と同一乃至均等な部分の説明については同一符号を付して説明する。
【００６８】
この実施例の手摺専用金具５は、矩形板状の本体部５１と、ロックピン１４を挿通させるために本体部５１に穿孔される支持穴５３と、本体部５１の上端部に設けられる係合部５２と、本体部５１の下端部に設けられる補助係合部５５と、本体部５１から突出されて横材としての手摺２Ａを取り付けるための横材取付ピンとしての手摺取付ピン５４とを備えている。
【００６９】
この本体部５１の正面には、上部に手摺取付ピン５４が面直交方向に向けて突出され、下部に支持穴５３が穿孔されている。
【００７０】
この支持穴５３に挿通させるロックピン１４は、図７に示すように、元々、長辺側の筋交い１３，１３を装着するために設けられたものであり、そのロックピン１４と平行になるように突出される手摺取付ピン５４も、足場１の長辺側の手摺２Ａの取り付けに使用される。
【００７１】
また、係合部５２は、本体部５１の上端部に設けられて本体部５１の背面とともに脚柱１１を囲むように形成されている。すなわち、本体部５１の背面の上端側縁から、背面直交方向に一対の上端側面板５２１，５２１がそれぞれ延設され、本体部５１と対向する部分には開閉自在の係合バー５２２が架け渡される。
【００７２】
この上端側面板５２１は、図８に示すように矩形の鋼板で、筋交い１３，１３の２枚の厚さと脚柱１１の直径と係合バー５２２の直径とを加算した長さよりも長く形成されている。
【００７３】
また、上端側面板５２１の本体部５１背面から筋交い１３，１３の２枚の厚さと脚柱１１の直径とを加算した長さより離隔した位置には、係合バー５２２を挿通させる穴５２１ａが穿孔されている。
【００７４】
さらに、係合バー５２２には、両端に脱落防止機構として例えばロック爪１４１が設けられており、一方の上端側面板５２１の穴５２１ａから係合バー５２２を挿入し、他方の上端側面板５２１の穴５２１ａからロック爪１４１が設けられた先端を突出させることで、脚柱１１を囲む四角形の枠が形成される。
【００７５】
また、補助係合部５５は、本体部５１の下端部に設けられて本体部５１の背面とともに脚柱１１を平面視略コ字状に囲むように形成される。すなわち、図６に示すように、本体部５１の背面の下端側縁から、背面直交方向に一対の下端側面板５５１，５５１がそれぞれ延設される。
【００７６】
そして、上端側面板５２１と下端側面板５５１との間は、図６，８に示すように開放されているので、ロックピン１４に筋交い１３，１３を装着しても、図７，８に示すように手摺専用金具５と干渉することなく取り付けをおこなうことができる。
【００７７】
このように実施例の手摺専用金具５は、本体部５１の上下方向の端部に係合部５２と補助係合部５５とを備えている。この係合部５２は、脚柱１１を平面視ロ字状に囲むように形成されており、補助係合部５５は、脚柱１１を平面視コ字状に囲むように形成されている。
【００７８】
すなわち、ロックピン１４を挿通させる支持穴５３に加えて２箇所を係合させて脚柱１１に対する回動を抑制させるうえに、手摺専用金具５の上端が脚柱１１から離隔するのを係合バー５２２によって阻止するため、装着後の安定性に優れ、がたつきの発生を抑えることができる。
【００７９】
また、係合部５２は、ボルトを使わない差込み式の開閉自在の係合バー５２２によって形成されるため、ボルトで締め付けたときのように緩みが発生するおそれがない。
【００８０】
さらに、ロックピン１４に取り付けられる筋交い１３，１３と一緒に手摺専用金具５を装着する構成であるため、既設の筋交い１３，１３の数や位置を変更する必要がなく、足場１の剛性を低下させるおそれがない。
【００８１】
また、手摺取付ピン５４は、ロックピン１４を挿入する支持穴５３とは異なる位置に設けられているので、筋交い１３の取り付け位置とは異なる任意の高さに手摺２Ａを設けることができる。
【００８２】
さらに、足場１に物の落下を防止するネットが張られている場合は、巾木３Ａ，３Ｂを取り付けなくても物の落下は防止できるので、簡素な構成の手摺専用金具５を使うことによって、手摺２Ａだけを簡単かつ経済的に追加することができる。
【００８３】
なお、他の構成及び作用効果については、前記実施の形態と略同様であるので説明を省略する。
【００８４】
以上、図面を参照して、本発明の実施の形態及び実施例を詳述してきたが、具体的な構成は、この実施の形態及び実施例に限らず、本発明の要旨を逸脱しない程度の設計的変更は、本発明に含まれる。
【００８５】
例えば、前記実施の形態では、支持穴４３，４３Ａは２箇所に設けたが、これに限定されるものではなく、装着を想定している足場の建枠のロックピン１４の高さに応じて１箇所でも３箇所以上にしてもよい。
【００８６】
また、前記実施例では、係合部５２を上端に設け、補助係合部５５を下端に設けたが、これに限定されるものではなく、ロックピン１４を挿通させる支持穴５３が本体部５１の上部に設けられた場合は、係合部５２を下端に設け、補助係合部５５を上端に設ける構成であってもよい。
【００８７】
さらに、前記実施の形態及び実施例では、三角形状のロック爪１４１について説明したが、これに限定されるものではなく、ロックピン１４の側面に取り付けられ、軸方向と軸直交方向との間で回動可能なピンを軸直交方向に向けて停止させることができる回転式のロック機構又は差し込み式の抜止めピンなど、公知のロック機構又は抜け防止構造を適用することができる。
【００８８】
また、前記実施の形態では、横材として手摺２Ａ，２Ｂ及び巾木３Ａ，３Ｂを手摺巾木兼用金具４によって取り付けたが、これに限定されるものではなく、横材として手摺を複数段にして取り付けることもできる。この場合は、手摺取付ピン４４Ａ，４４Ｂとは高さの異なる手摺取付ピンを追加して手摺を追加することができる。また、巾木３Ａ，３Ｂに替えて手摺を追加してもよい。
【符号の説明】
【００８９】
１            足場
１０          建枠
１１          脚柱
１２          横架材
１８          足場板
２Ａ，２Ｂ    手摺（横材）
３Ａ，３Ｂ    巾木（横材）
４，４Ａ      手摺巾木兼用金具（横材取付用金具）
４１          本体部
４２          係合部
４２１        カバー部
４２２        滑止めボルト（固定手段）
４３，４３Ａ  支持穴
４４Ａ，４４Ｂ  手摺取付ピン（横材取付ピン）
４５Ａ，４５Ｂ，４６Ａ，４６Ｂ  巾木取付ピン（横材取付ピン）
５            手摺専用金具（横材取付用金具）
５１          本体部
５２          係合部
５２２        係合バー
５３          支持穴
５４          手摺取付ピン（横材取付ピン）
５５          補助係合部
【図１】
2011017197.tif 000003
【図２】
2011017197.tif 000004
【図３】
2011017197.tif 000005
【図４】
2011017197.tif 000006
【図５】
2011017197.tif 000007
【図６】
2011017197.tif 000008
【図７】
2011017197.tif 000009
【図８】
2011017197.tif 000010